(57)【要約】【課題】ブラシ毛の植毛密度を高めながら、植設されたブラシ毛全体の弾性がブラシを使用する方向の違いで大きく異なるのを防いで、使い勝手のよいブラシを提供する。【解決手段】毛束５が植毛穴７に平線植毛法によって植設固定してあるブラシにおいて、植毛穴７を３個の辺部７ａを備えた三角形状の穴で形成する。平線８は、その両端が隣接する二つの辺部７ａで挟まれる穴隅部と、この穴隅部に対向する辺部７ａとに食い込む状態で植毛穴７に打ち込む。植毛穴７は、斜めの辺部７ａどうしが隣接する状態で直線列状に形成することにより毛穴列１２を構成する。平線８は穴列線Ｑとほぼ直交する状態で各植毛穴７に打ち込む。穴列線Ｑが平行になる状態で隣接配置した複数の毛穴列１２において、隣接する毛穴列１２における平線８の打ち込み中心位置は、植毛穴７の隣接列ピッチＰの半ピッチ分だけ列線方向へずらしておく。【選択図】図１
2006326179.tif 000002
【特許請求の範囲】
【請求項１】
ブラシ台（４）に形成した植毛穴（７）に、毛束（５）が平線植毛法によって植設してあるブラシであって、
植毛穴（７）が３個の辺部（７ａ）を備えた三角形状の穴として形成してあり、
平線（８）の両端が、隣接する二つの辺部（７ａ）で挟まれる穴隅部と、この穴隅部に対向する辺部（７ａ）とに食い込む状態で植毛穴（７）に打ち込まれていることを特徴とする植毛構造のブラシ。
【請求項２】
複数個の植毛穴（７）が、斜めの辺部（７ａ）どうしが隣接する状態で直線列状に形成されて毛穴列（１２）を構成しており、
平線（８）が、穴列線（Ｑ）とほぼ直交する状態で各植毛穴（７）に打ち込まれており、
穴列線（Ｑ）が平行になる状態で隣接配置した複数の毛穴列（１２）において、隣接する毛穴列（１２）における平線（８）の打ち込み中心位置が、植毛穴（７）の隣接列ピッチ（Ｐ）の半ピッチ分だけ列線方向にずれている請求項１記載の植毛構造のブラシ。
【請求項３】
複数個の植毛穴（７）が、個々の植毛穴（７）の穴隅部が一点に指向する状態で、中心点（Ｒ）まわりに均等間隔置きに配されており、
平線（８）が前記中心点（Ｒ）を通る放射線に沿って、各植毛穴（７）に打ち込まれている請求項２記載の植毛構造のブラシ。
【請求項４】
平線（８）が打ち込まれる植毛穴（７）の穴隅部に、隣接する辺部どうしを繋ぐ隅壁（７ｂ）が形成されている請求項１〜３のいずれかに記載の植毛構造のブラシ。
【請求項５】
ブラシ台（４）が、液状、ジェル状、粉状の化粧材を収容する押出し容器（１）の出口（２）に接続されており、
ブラシ台（４）に押出し容器（１）の出口（２）と連通する少なくともひとつの塗布出口（１０）が開口しており、
塗布出口（１０）まわりに形成した一群の植毛穴（７）に、毛束（５）が植設されている請求項４記載の植毛構造のブラシ。
【発明の詳細な説明】
【技術分野】
【０００１】
本発明は、化粧ブラシ、ヘアーブラシ、歯ブラシなどを対象とし、毛束がブラシ台の植毛穴に対して平線植毛法で固定してある植毛構造のブラシに関する。
【背景技術】
【０００２】
一般的なブラシにおいては、ブラシ台に形成した植毛穴にブラシ毛の毛束を平線植毛法で固定しており、植毛穴の多くは円形に形成されていた。この植毛穴を多角形状に形成することは、例えば特許文献１に公知である。そこでは、植毛穴を四角形、台形、あるいは矢羽根形に形成し、各植毛穴の隣接間隔をできるだけ小さくすることによって、ブラシ毛の植毛密度を高めている。特許文献２においては、植毛穴をそろばん玉形に形成して、同様にブラシ毛を高密度化している。特許文献３においては、ブラシ台に植設される毛束が四角形に形成してある。
【０００３】
【特許文献１】特許第３５２４３０６号公報（段落番号００２３、図３）
【特許文献２】特開昭６０−２４１４０５号公報（第２頁右欄第３行、第１図）
【特許文献２】特開平５−２２８０１９号公報（段落番号００２９、図７）
【発明の開示】
【発明が解決しようとする課題】
【０００４】
特許文献１、２のブラシによれば、各植毛穴の隣接間隔をできるだけ小さくすることによってブラシ毛の植毛密度を高度化できる。しかし、平線を使用して植毛を行う限り、植毛穴の隣接間隔を一定以下にはできず、おのずから限界がある。平線が植毛穴の周壁に食い込む状態で打ち込まれるため、植毛穴の隣接間隔が小さいと、ブラシ台の形成素材にもよるが、隣接する植毛穴間の壁が割れたり、白化したりして、平線の食い込み強度が著しく低下し、毛束がブラシ台から脱落するからである。
【０００５】
ブラシ毛の形成素材やその直径、あるいは弾性などが一定であったとしても、植毛穴に植毛された状態における毛束の腰の強さや弾力性は様々に変化することが知られている。例えば、植毛されるブラシ毛の本数が異なると、ブラシ毛どうしが互いに支えあう力の合計値に差を生じるため、外力に対する毛束の反発力や柔らかさが異なって来る。植毛穴の穴形状や、平線の打ち込み姿勢の違いも毛束の弾力や柔らかさに影響を及ぼし、特定の向きの外力に対しては強い弾性を発揮するが、それ以外の向きの外力に対しては十分な弾性を発揮できない。
【０００６】
例えば、円形の植毛穴に植設された毛束は、平線で区分される半円状の穴周面によって毛束が受け止められるので、平線と直交する向きの外力に対しては強い弾性を発揮するが、平線と平行な向きの外力に対しては十分な弾性を発揮できない。同様に、四角形状に形成された植毛穴に植設された毛束は、平線と平行な穴辺部で受け止められるので、平線と直交する向きの外力に対して強い弾性を発揮するが、平線と平行な向きの外力に対しては十分な弾性を発揮し得ない。
【０００７】
このように平線植毛法で植設された毛束では、その弾性に指向性があるため、ブラシの用途に応じて毛束の固定形態を考慮する必要がある。さらに、化粧用ブラシの場合は、ブラシの使い方、例えば毛束が肌に触れる時の方向によって弾性が異なることを知ったうえで使用するか否かで、効果的な化粧を行えるかどうかが問われるし、あるいは化粧に多くの手間が掛かってしまうことになる。
【０００８】
本発明の目的は、ブラシ毛の植毛密度を高度化できるうえ、植設されたブラシ毛全体の弾性がブラシを使用する方向の違いで大きく異なるのを抑止し、従来のブラシに比べて使い勝手のよい植毛構造のブラシを提供することにある。本発明の目的は、ブラシ台が化粧材を収容する押出し容器の出口に接続されている化粧ブラシに好適な植毛構造のブラシを提供することにある。
【課題を解決するための手段】
【０００９】
本発明は、ブラシ台４に形成される植毛穴７に、毛束５が平線植毛法によって植設固定してあるブラシを適用対象とする。そのうえで、植毛穴７は、３個の辺部７ａを備えた三角形状の穴として形成してあり、平線８の両端が、隣接する二つの辺部７ａで挟まれる穴隅部と、この穴隅部に対向する辺部７ａとに食い込む状態で植毛穴７に打ち込まれていることを特徴とする。
【００１０】
具体的にみると、複数個の植毛穴７は、斜めの辺部７ａどうしが隣接する状態で直線列状に形成することにより毛穴列１２を構成しており、平線８が穴列線Ｑとほぼ直交する状態で各植毛穴７に打ち込まれており、穴列線Ｑが平行になる状態で隣接配置した複数の毛穴列１２において、隣接する毛穴列１２における平線８の打ち込み中心位置が、植毛穴７の隣接列ピッチＰの半ピッチ分だけ列線方向にずれている。
【００１１】
複数個の植毛穴７は、個々の植毛穴７の穴隅部が一点に指向する状態で、中心点Ｒまわりに均等間隔置きに配置し、平線８は前記中心点Ｒを通る放射線に沿って、各植毛穴７に打ち込むことができる。
【００１２】
平線８が打ち込まれる植毛穴７の穴隅部には、隣接する辺部どうしを繋ぐ隅壁７ｂを形成することができる。
【００１３】
ブラシ台４は、液状、ジェル状、粉状の化粧材を収容する押出し容器１の出口２に接続し、ブラシ台４に押出し容器１の出口２と連通する少なくともひとつの塗布出口１０を開口し、塗布出口１０まわりに形成した一群の植毛穴７に毛束５を植設することができる。
【発明の効果】
【００１４】
本発明においては、植毛穴７を３個の辺部７ａを備えた三角形状の穴として形成したので、例えば図１に示すように、正立した植毛穴７と倒立した植毛穴７とを交互に配置することにより、より多くの植毛穴７を無駄のない状態で形成できる。さらに三角形を二分する状態で平線８を植毛穴７に打ち込んで毛束５を植毛穴７に装着固定するので、平線８の打ち込みパターンを好適化することで植毛穴７をより接近配置でき、全体としてブラシ台４におけるブラシ毛の植毛密度を高度化できる。平線８を打ち込む際には、隣接する辺部７ａで平線８を適正な位置へ案内できるので、常に適正な位置に平線８を打ち込める。
【００１５】
三角形を二分する状態で平線８を植毛穴７に打ち込むことにより、植毛穴７の各辺部７ａで毛束５の基端部分を受け止めて外力に対抗させることができる。したがって、平線８に直交する向きの外力と、平線８と平行な向きの外力とのいずれにも大きな弾性を発揮するブラシが得られる。これにより、ブラシ台４に植設したブラシ毛全体の弾性がブラシの使用方向の違いで大きく異なるのを防止でき、その分だけブラシの使い勝手が向上する。
【００１６】
植毛穴７を斜めの辺部７ａどうしが隣接する状態で直線列状に配して毛穴列１２を構成し、穴列線Ｑとほぼ直交する状態で平線８を各植毛穴７に打ち込むようにしたブラシにおいて、隣接する毛穴列１２における平線８の打ち込み中心位置を、植毛穴７の隣接列ピッチＰの半ピッチ分だけ列線方向へずらしてあると、植毛穴７に打ち込まれる平線８を各毛穴列１２において交互に位置させることができるので、ブラシ台４の長手方向に隣接する毛穴列１２・１２の間隔Ｂが小さい場合でも、平線８を打ち込むことで植毛穴７間の壁が割れたり、白化したりするのを確実に防止しながら、その分だけブラシ台４におけるブラシ毛の植毛密度をさらに高度化できる。
【００１７】
複数個の植毛穴７を中心点Ｒまわりに均等間隔置きに配置し、中心点Ｒを通る放射線に沿って平線８が各植毛穴７に打ち込まれていると、各植毛穴７に植毛した毛束５の弾性が個々の毛束５ごとに異なる。そのためブラシ毛全体としては、全方位方向からの外力に対抗して６個の毛束５どうしが互いに弱い弾性を補い合って、従来のブラシに比べてより強靭な弾性を発揮するブラシが得られる。
【００１８】
植毛穴７の穴隅部に隣接する辺部どうしを繋ぐ隅壁７ｂが形成されていると、平線８の打ち込み寸法を一定とするとき、隅壁７ｂを形成した分だけ平線８が短くなり、これにより例えば毛穴列１２・１２の間隔Ｂを小さくして、その分だけブラシ台４におけるブラシ毛の植毛密度をさらに高度化できる。
【００１９】
押出し容器１の出口２に接続したブラシ台４に、押出し容器１の出口２と連通する塗布出口１０を開口し、塗布出口１０まわりの植毛穴７に毛束５を植設したブラシによれば、ブラシの主たる使用方向に対してより強い弾性を発揮できるように毛束５を植設しておくことにより、ブラシ毛に付着の化粧材を肌面や髪などに効果的に塗布できる。
【発明を実施するための最良の形態】
【００２０】
（実施例１）  図１ないし図４は本発明に係る化粧ブラシの実施例１を示す。図２において符号１は液状、ジェル状、粉状の化粧材を収容する押出し容器、３は押出し容器１の出口２に装着固定されるブラシである。
【００２１】
ブラシ３は、長方形状に形成したブラシ台４と、ブラシ台４に植設された一群の毛束５と、ブラシ台４に外嵌固定される毛束キャップ６などで構成してある。一群の毛束５は、ブラシ台４に形成される多数個の植毛穴７に平線植毛法によって植設固定される。毛束５を構成するブラシ毛は、毛先に向かって先細に形成してあってもよいし、基端から毛先まで同じ太さであってもよい。毛先に向かって先細に形成されるブラシ毛としては、例えば、ポリブチレンテレフタレート繊維を所定長さに切断したうえで、繊維の両端を溶剤に浸して毛先を先細状に形成したブラシ毛を使用することができる。
【００２２】
かかるブラシ３において、本発明では、ブラシ台４に形成される植毛穴７を三角形状に形成した点と、植毛穴７の配列形態、および平線８の打ち込み形態を好適化した点に特徴を有する。
【００２３】
ブラシ台４の中央部分には、押出し容器１の出口２と連通する塗布出口１０が開口しており、塗布出口１０まわりに形成した一群の植毛穴７に毛束５を植設する。個々の植毛穴７は、３個の直線辺部（辺部）７ａを備えた正三角形状の穴として形成されており、隣接する二つの辺部７ａで挟まれる穴隅部に、隣接する辺部７ａどうしを繋ぐ面取り状の隅壁７ｂが形成してある。
【００２４】
隅壁７ｂは対向する辺部７ａと平行に形成されており、その長さは後述する平線８の厚み寸法と同じか、これより僅かに小さく設定してある。平線８が打ち込まれる隅壁７ｂと対向する辺部７ａの中央には、平線８を受け入れるガイド溝９をＶ字状の切欠として形成してある。ガイド溝９の切欠幅は、先の隅壁７ｂと同じ寸法に設定してある。
【００２５】
ブラシ台４における植毛穴７は、塗布出口１０の周辺部分を除いて、図１に示す配置パターンで直線列状に配置されて毛穴列１２を構成している。詳しくは、正立する植毛穴７と、倒立する植毛穴７とを交互に２個ずつ配置して、植毛穴７の斜辺部どうしが平行に隣接する毛穴列１２を構成する。
【００２６】
毛穴列１２における植毛穴７の穴列線Ｑ方向の隣接ピッチＰは一定にしてある。この毛穴列１２を一単位にして、ブラシ台４の長手方向に沿って、間隔Ｂをあけながら毛穴列１２を配置する。このとき、正立する植毛穴７と倒立する植毛穴７のピッチ中心線が、各毛穴列１２における植毛穴７の隣接ピッチＰの半分だけずれるように、各毛穴列１２をずらして配置する。
【００２７】
毛束５は平線８で折り返された状態で、平線８と共に各植毛穴７に打ち込む。詳しくは、図１に示すように、平線８がブラシ台４の長手方向の辺部と平行になる状態、つまり平線８が穴列線Ｑと直交し、しかもその両端が隅壁７ｂと、直線辺部７ａのガイド溝９とに食い込む状態で植毛穴７に打ち込む。
【００２８】
その結果、植毛穴７に打ち込まれる平線８を、各毛穴列１２において交互に位置させることができ、ブラシ台４の長手方向に隣接する毛穴列１２・１２の間隔Ｂが小さい場合でも、平線８を打ち込むことで植毛穴７間の壁が割れたり、白化したりするのを確実に防止しながら、ブラシ毛の植毛密度を高密度化できる。
【００２９】
先に説明したように、個々の植毛穴７においては、隅壁７ｂと、隅壁７ｂに対向する直線辺部７ａのガイド溝９とに平線８が食い込む状態で植毛穴７に打ち込まれる。このとき、平線８の両端は、平線８を間に挟む隣接する一対の直線辺部７ａと、ガイド溝９とに案内されて正しく位置決め状態で穴周壁に食い込む。また、植毛穴７に植毛された毛束５は、図１に示すように植毛穴７の斜辺部分と、平線８で２分割された植毛穴７の底辺部分とで受け止められる。
【００３０】
そのため、毛束５に平線８と直交する向きの外力が作用するときは、植毛穴７の斜辺部分がブラシ毛の基端部分を受け止めて外力に対抗する。さらに、毛束５に平線８と平行な向きの外力が作用するときは、平線８で２分割された植毛穴７の底辺部分と、植毛穴７の斜辺部分とが協同して、ブラシ毛の基端部分を受け止めて外力に対抗する。したがって、ブラシ台４に植設されたブラシ毛全体の弾性が、ブラシの使用方向の違いで大小に異なるのを防止でき、その分だけブラシの使い勝手を向上する。
【００３１】
（実施例２）  図５は本発明に係る化粧ブラシ（紅筆）の実施例２を示す。ブラシ３を構成するブラシ台４は円形に形成してあって、６個の植毛穴７がブラシ台４に設けた塗布出口１０の中心点Ｒまわりに、均等間隔置きに配置してある。植毛穴７は、実施例１で説明した植毛穴７と同じ構造に形成してあって、各植毛穴７の隅壁７ｂが中心点Ｒを指向する状態で配置してある。
【００３２】
実施例２においては、平線８が先の中心点Ｒを通る放射線に沿って各植毛穴７に打ち込まれる。具体的には、個々の植毛穴７において、中心点Ｒを指向する隅壁７ｂと、隅壁７ｂと対向する直線辺部７ａのガイド溝９とに平線８が食い込む状態で植毛穴７に打ち込まれる。このように、平線８を放射状に打ち込むと、各植毛穴７に植毛された毛束５の弾性特性が個々の毛束５ごとに異なる。そのためブラシ毛全体としては、全方位方向からの外力に対抗して６個の毛束５どうしが互いに弱い弾性を補い合うこととなり、従来のブラシに比べて、より強靭な弾性を発揮できるブラシが得られる。他は先の実施例１と同じであるので、同じ部材に同じ符号を付してその説明を省略する。
【００３３】
上記構成のブラシによれば、各植毛穴７を塗布出口１０に接近する状態で配置して、ブラシ毛の植毛密度を高度化できる。因みに、植毛穴が等脚台形状に形成してあると、植毛穴を近接配置できることになるが、その場合には植毛穴７が三角形状に形成してある形式に比べて、台形の上辺部で囲まれる六角形の壁面の面積が大きくなり、その分だけ植毛密度が低下するのを避けられない。
【００３４】
図６は植毛穴７の変形例を示す。そこでの植毛穴７は、３個の辺部７ａを備えた二等辺三角形状の穴として形成した。各辺部７ａは外突状の部分円弧面で形成し、さらに隅壁７ｂを部分円弧面で形成した。
【００３５】
図７に示す植毛穴７の基本形状は、実施例１と同様に正三角形とするが、各辺部７ａを連続波形の曲線で形成して、各辺部７ａにおいてブラシ毛を波形の凹部で捕捉保持できるようにした。
【００３６】
上記の実施例以外に、植毛穴７の各辺部７ａは内凹み状の湾曲線で形成してもよい。隅壁７ｂは平坦面である必要はなく、湾曲面で形成することができる。図１に示すブラシにおいては、穴列線Ｑがブラシ台４の長辺と直交するように植毛穴７を配置したが、例えば、穴列線Ｑがブラシ台４の長辺に対して斜めに傾く状態で植毛穴７を配置してもよい。本発明は、ヘアーブラシや歯ブラシなどにも適用できる。
【図面の簡単な説明】
【００３７】
【図１】実施例１の植毛穴の配置パターンを示す平面図である。
【図２】ブラシの使用例を示す化粧材容器の正面図である。
【図３】化粧材容器の口部分の断面図である。
【図４】ブラシ台の斜視図である。
【図５】実施例２の植毛穴の配置パターンを示す平面図である。
【図６】植毛穴の変形例を示す平面図である。
【図７】植毛穴の変形例を示す平面図である。
【符号の説明】
【００３８】
１  押出し容器
２  押出し容器の出口
４  ブラシ台
５  毛束
７  植毛穴
７ａ  植毛穴の辺部
７ｂ  植毛穴の隅壁
８  平線
１０  塗布出口
１２  毛穴列
Ｐ  植毛穴の隣接列ピッチ
Ｑ  穴列線
Ｒ  中心点
【図１】
2006326179.tif 000003
【図２】
2006326179.tif 000004
【図３】
2006326179.tif 000005
【図４】
2006326179.tif 000006
【図５】
2006326179.tif 000007
【図６】
2006326179.tif 000008
【図７】
2006326179.tif 000009